(57)【要約】【課題】性能を向上させると共にフィルタの寿命を延長させることのできる、液体貯蔵タンクの移動式多機能清掃機を提供する。【解決手段】下端に緩衝式キャスタ２０が装着された清掃機本体１の上部には、液体及び沈殿物を吸入する吸入真空室２と、マイクロターボフィルタ３とが設置されている。吸入真空室２の上部には、電気パネル４に連結された電気装置部５が装着されている。吸入真空室２内には、液体吸入管６とドラムフィルタ７とが、スクラップコンベア９の下部に平行に設置されている。スクラップコンベア９の排出部には、自動排出装置１６が、沈殿物排出用シュート１０の下端部に設置されている。吸入真空室２の側面には、ドラムフィルタ７の点検あいは補修用のドア１７が形成され、その下端部には液体ドレイン管１８，１８ａが設置され、ドラムフィルタ７とパイプフランジ１１とが連結されている。【選択図】図１
2006297381.tif 000002
【特許請求の範囲】
【請求項１】
下端に緩衝式キャスタ（２０）が装着された清掃機本体（１）と、
前記清掃機本体（１）の上部に設けられた、吸入真空管（２）及びマイクロターボフィルタ（３）と、
前記吸入真空管（２）の上部に設けられ、電気パネル（４）に連結された電気装置部（５）と、
前記電気装置部（５）の下部に設けられ、液体吸入管（６）に連結されたドラムフィルタ（７）と、
前記ドラムフィルタ（７）の下部に、該ドラムフィルタ（７）と平行に設けられたスクラップコンベア（９）と、
前記スクラップコンベア（９）の排出部に設けられ、自動排出装置（１６）を下端部に設けた沈殿物排出用シュート（１０）と、
前記吸入真空室（２）の側面部に設けられた、前記ドラムフィルタ（７）の点検用のドア（１７)及び液体ドレイン管（１８），（１８ａ）と、
前記ドラムフィルタ（７）とパイプフランジ（１１）とに連結された前記マイクロターボフィルタ（３）の下側に設けられたジャイロポンプ（１２）と、
前記ジャイロポンプ（１２）の吸入側に真空ゲイジ管（１４）が連結された真空ゲイジ（２３）と、
前記ジャイロポンプ（１２）の吐出部に連結された濾過液排出管（１５）と
を備えることを特徴とする、液体貯蔵タンクの移動式多機能清掃機。
【請求項２】
前記ドラムフィルタ（７）の上部には、該ドラムフィルタ（７）の閉塞を防止するためのフィルタブラシ（８）が設けられていることを特徴とする、請求項１に記載の液体貯蔵タンクの移動式多機能清掃機。
【請求項３】
前記排出用シュート（１０）の下端部に設けられた自動排出装置（１６）の代わりに、沈殿物箱を有する手動排出装置（２４）を設け、
手動で沈殿物を取り除くことを特徴とする、請求項１または２に記載の液体貯蔵タンクの移動式多機能清掃機。
【請求項４】
下端に緩衝式キャスタ（２０）が装着された清掃機本体（１）と、
前記清掃機本体（１）の上部に設けられた、吸入真空管（２）及びマイクロターボフィルタ（３）と、
前記吸入真空管（２）の上部に設けられ、電気パネル（４）に連結された電気装置部（５）と、
自動排出装置（１６）を下端部に設けた沈殿物排出用シュート（１０）と、
前記吸入真空室（２）の側面部に設けられた液体ドレイン管（１８），（１８ａ）と、
連結された前記マイクロターボフィルタ（３）の下側に設けられたジャイロポンプ（１２）と、
前記ジャイロポンプ（１２）の吸入側に真空ゲイジ管（１４）が連結された真空ゲイジ（２３）と、
前記ジャイロポンプ（１２）の吐出部に連結された濾過液排出管（１５）と
を備えることを特徴とする、液体貯蔵タンクの移動式多機能清掃機。
【請求項５】
下端に緩衝式キャスタ（２０）が装着された清掃機本体（１）と、
吸入真空管（２）の上部に設けられ、電気パネル（４）に連結された電気装置部（５）と、
前記電気装置部（５）の下部に設けられ、液体吸入管（６）に連結されたドラムフィルタ（７）と、
前記ドラムフィルタ（７）の下部に、該ドラムフィルタ（７）と平行に設けられたスクラップコンベア（９）と、
前記スクラップコンベア（９）の排出部に設けられ、自動排出装置（１６）を下端部に設けられた沈殿物排出用シュート（１０）と、
前記吸入真空室（２）の側面部に設けられた、前記ドラムフィルタ（７）の点検用のドア（１７)及び液体ドレイン管（１８），（１８ａ）と、
前記ドラムフィルタ（７）の下側に設けられたジャイロポンプ（１２）と、
前記ジャイロポンプ（１２）の吸入側に真空ゲイジ管（１４）が連結された真空ゲイジ（２３）と、
前記ジャイロポンプ（１２）の吐出部に連結された濾過液排出管（１５）と
を備えることを特徴とする、液体貯蔵タンクの移動式多機能清掃機。
【請求項６】
前記ジャイロポンプ（１２）の吸入口直前に、悪臭除去用液体が入っている悪臭除去用液体槽（３２）と、
吸入時に極めて微量の液体を吸入できるスポイトと
を備え、
清掃時に、リサイクルしながら前記微量の液体が混合される液体の悪臭を除去することを特徴とする、請求項１に記載の液体貯蔵タンクの移動式多機能清掃機。
【発明の詳細な説明】
【技術分野】
【０００１】
この発明は、液体貯蔵タンク内の沈殿物（sludge）あるいは金属チップを除去する際に使用する移動式多機能清掃機に関する。
【背景技術】
【０００２】
従来、化学沈殿物及び金属加工の際の切削油に含有された金属チップを清掃する場合には、液体貯蔵タンク、沈殿物濾過、チップ除去及びこれらの回収装置を別途に設置しなければならなかった。しかし、本出願人が先に出願した特許文献１の発明要旨によれば、装置本体の上部にチップ分離室と比重分離室とを設置し、液体貯蔵タンク内の沈殿物を真空ポンプで吸入して、沈殿物に含有された微細な金属チップと切削油とを分離した後、精製された切削油は再使用するが、沈殿物及び金属チップはチップ収集槽に所定量以上収集されると、上記清掃機の作動を一時中止させて上記チップを取り除かなければならないという欠点があった。これを解消するために、先に出願された特許文献２においては、濾過ドラムの一方の側に移送用コンベアを設置することにより、上記の沈殿物及び金属チップがチップ収集槽内に自動収集されるようにした。
【０００３】
【特許文献１】韓国特許第４３１６２２号明細書
【特許文献２】韓国特許出願公開第２００４−５２６６４号明細書
【発明の開示】
【発明が解決しようとする課題】
【０００４】
しかしながら、上記フィルタの濾過方式では加圧方式を使用したので、捕集された沈殿物がフィルタエレメントに収集されるに従っていち早くフィルタエレメントを清掃をしなければならないのは勿論、フィルタ内部に沈殿物が詰まるか、あるいは微細チップが引き出されて、フィルタ機能を完全に発揮できないといった問題点があった。
【０００５】
この発明はこのような問題点を解決するためになされたもので、性能を向上させると共にフィルタの寿命を延長させることのできる、液体貯蔵タンクの移動式多機能清掃機を提供することを目的とする。
【課題を解決するための手段】
【０００６】
この発明に係る液体貯蔵タンクの移動式多機能清掃機は、下端に緩衝式キャスタが装着された清掃機本体と、前記清掃機本体の上部に設けられた、吸入真空管及びマイクロターボフィルタと、前記吸入真空管の上部に設けられ、電気パネルに連結された電気装置部と、前記電気装置部の下部に設けられ、液体吸入管に連結されたドラムフィルタと、前記ドラムフィルタの下部に、該ドラムフィルタと平行に設けられたスクラップコンベアと、前記スクラップコンベアの排出部に設けられ、自動排出装置を下端部に設けた沈殿物排出用シュートと、前記吸入真空室の側面部に設けられた、前記ドラムフィルタの点検用のドア及び液体ドレイン管と、前記ドラムフィルタとパイプフランジとに連結された前記マイクロターボフィルタの下側に設けられたジャイロポンプと、前記ジャイロポンプの吸入側に真空ゲイジ管が連結された真空ゲイジと、前記ジャイロポンプの吐出部に連結された濾過液排出管とを備える。
前記ドラムフィルタの上部には、該ドラムフィルタの閉塞を防止するためのフィルタブラシが設けられていてもよい。
前記排出用シュートの下端部に設けられた自動排出装置の代わりに、沈殿物箱を有する手動排出装置を設け、手動で沈殿物を取り除くようにしてもよい。
また、この発明に係る液体貯蔵タンクの移動式多機能清掃機は、下端に緩衝式キャスタが装着された清掃機本体と、前記清掃機本体の上部に設けられた、吸入真空管及びマイクロターボフィルタと、前記吸入真空管の上部に設けられ、電気パネルに連結された電気装置部と、自動排出装置を下端部に設けた沈殿物排出用シュートと、前記吸入真空室の側面部に設けられた液体ドレイン管と、連結された前記マイクロターボフィルタの下側に設けられたジャイロポンプと、前記ジャイロポンプの吸入側に真空ゲイジ管が連結された真空ゲイジと、前記ジャイロポンプの吐出部に連結された濾過液排出管とを備える。
また、この発明に係る液体貯蔵タンクの移動式多機能清掃機は、下端に緩衝式キャスタが装着された清掃機本体と、吸入真空管の上部に設けられ、電気パネルに連結された電気装置部と、前記電気装置部の下部に設けられ、液体吸入管に連結されたドラムフィルタと、前記ドラムフィルタの下部に、該ドラムフィルタと平行に設けられたスクラップコンベアと、前記スクラップコンベアの排出部に設けられ、自動排出装置を下端部に設けられた沈殿物排出用シュートと、前記吸入真空室の側面部に設けられた、前記ドラムフィルタの点検用のドア及び液体ドレイン管と、前記ドラムフィルタの下側に設けられたジャイロポンプと、前記ジャイロポンプの吸入側に真空ゲイジ管が連結された真空ゲイジと、前記ジャイロポンプの吐出部に連結された濾過液排出管とを備える。
前記ジャイロポンプの吸入口直前に、悪臭除去用液体が入っている悪臭除去用液体槽と、吸入時に極めて微量の液体を吸入できるスポイトとを備え、清掃時に、リサイクルしながら前記微量の液体が混合される液体の悪臭を除去するようにしてもよい。
【発明の効果】
【０００７】
この発明によれば、液体貯蔵タンクに収容された液体切削油の沈殿物または金属チップを除去して上記液体を再使用する装置である移動式多機能清掃機において、ドラムフィルタとスクラップコンベアとを平行に設置することによって、狭い空間でも清掃作業が可能となる。また、ドラムフィルタの濾過方式を吸入方式にすることによって、清掃機の性能を向上させると共にフィルタの寿命を延長させることができる。
【発明を実施するための最良の形態】
【０００８】
以下、この発明の実施の形態を添付図面に基づいて説明する。
図１に示されるように、下端に緩衝式キャスタ２０が装着された清掃機本体１の上部には、液体及び沈殿物を吸入する吸入真空室２と、二次濾過装置であるマイクロターボフィルタ３とが各々設置されている。吸入真空室２の上部には、清掃機本体１の一面に装着された電気パネル４に連結された電気装置部５が装着されている。吸入真空室２内には、液体吸入管６と中央部からモータによって回転されるドラムフィルタ７とが、スクラップコンベア９の下部に平行に設置されている。スクラップコンベア９の排出部には、自動排出装置１６又は手動排出装置２４（図２参照）が、沈殿物排出用シュート（chute）１０の下端部に設置される。吸入真空室２の側面には、磨耗されたドラムフィルタ７を点検あいは補修するドア１７が形成され、ドア１７の下端部には液体ドレイン管１８，１８ａが設置され、ドラムフィルタ７とドラムフィルタ排出部のパイプフランジ１１とが連結されている。
【０００９】
図２に示されるように、マイクロターボフィルタ３の下側には、切削油と沈殿物とを同時に吸入する真空ポンプ機能を持つジャイロポンプ１２が装着されている。このジャイロポンプ１２の吸入部直前に、液体除去用液体を収容する液体槽３２（図５参照)を設置して、液体吸入時に極めて微量の液体を吸入できるように、図示しないスポイト管を設置して、清掃時にリサイクルしながら上記微量の液体を混合しつつ液体の悪臭を除去するようになっている。また、ジャイロポンプ１２の吸入側には、真空ゲイジ２３に連結された真空ゲイジ管１４が連結され、ジャイロポンプ１２の排出部には、精製された液体を排出する濾過液排出管１５が装着されている。
【００１０】
そして、上記したドラムフィルタ７の上側部には、図１ａで示されるように、微細な沈殿物を除去するフィルタブラシ８が設けられている。上記した液体吸入管６と濾過液排出管１５との構成は図３及び図４に示されているように、上記した液体吸入管６の先端に、簡易接続ユニット２６（quick coupling unit）が介在した鉄芯が入っている透明フレキシブルＰＶＣホース２７が連結され、透明フレキシブルＰＶＣホース２７の他端がステルフレキシブルホース３０に連結されるようになっている。ステルフレキシブルホース３０の先端部には吸入口２８が形成されている。濾過液排出管１５には、簡易接続ユニットの吸入口２８を介在した鉄芯の入っている透明フレキシブルＰＶＣホース２７が連結されている。この先端には吸入口２８が形成されている。上記したスクラップコンベア９の形状は、真空室機能を具備した沈殿物除去用マグネット１９（図１参照）が下側端に付着され、スクラップコンベア９の終端部に沈殿物を含有した切削油を吸入する液体吸入装置２２と液体吸入管２２ａとが装着されている。スクラップコンベア９の後端には、中空軸モータ減速機２１が装着されている。
【００１１】
次に、この実施の形態に係る移動式多機能清掃機の動作について説明する。
清掃機本体１の電源をＯＮした後、電気パネル４を操作して真空ポンプ機能を持っているジャイロポンプ１２を作動させて、沈殿物が含有された液体を、液体貯蔵タンク２５から液体吸入管６を通じて吸入真空室２に吸入する。その後、ドラムフィルタ７に移送し、大きさが３００ミクロン以上である大部分の沈殿物をスクラップコンベア９によって排出用シュート１０に送り、自動排出装置１６又は手動排出装置２４へ排出する。この際、１００ミクロン以下の沈殿物は上記したドラムフィルタ７に移送して一次濾過されて排出され、３０ミクロン以下である沈殿物はバグフィルタを利用して濾過される。特に、１ミクロン以下である沈殿物は、図２に示されるように、ドラムフィルタ７の排出用パイプフランジ１１を通じてマイクロターボフィルタ３で二次的に濾過処理される。精製された液体切削油は、ジャイロポンプ１２を通じて濾過液排出管１５に排出され、液体貯蔵タンク２５に送って再使用される。
【００１２】
また、スクラップコンベア９とドラムフィルタ７とを除外して真空機能を持ったジャイロポンプ１２とマイクロターボフィルタ３とのみで構成して使用してもよい。すなわち、下端に緩衝式キャスタ２０が装着された清掃機本体１と、清掃機本体１の上部に設けられた、吸入真空管２及びマイクロターボフィルタ３と、吸入真空管２の上部に設けられ、電気パネル４に連結された電気装置部５と、自動排出装置１６を下端部に設けられた沈殿物排出用シュート１０と、吸入真空室２の側面部に設けられた液体ドレイン管１８，１８ａと、連結されたマイクロターボフィルタ３の下側に設けられたジャイロポンプ１２と、ジャイロポンプ１２の吸入側に真空ゲイジ管１４が連結された真空ゲイジ２３と、ジャイロポンプ１２の吐出部に連結された濾過液排出管１５とから構成して使用してもよい。
【００１３】
また、マイクロターボファイバ３を除外してスクラップコンベア９とドラムフィルタ７及びジャイロポンプ１２とのみで清掃機本体１を構成して使用してもよい。すなわち、下端に緩衝式キャスタ２０が装着された清掃機本体１と、吸入真空管２の上部に設けられ、電気パネル４に連結された電気装置部５と、電気装置部５の下部に設けられ、液体吸入管６に連結されたドラムフィルタ７と、ドラムフィルタ７の下部に、ドラムフィルタ７と平行に設けられたスクラップコンベア９と、スクラップコンベア９の排出部に設けられ、自動排出装置１６を下端部に設けられた沈殿物排出用シュート１０と、吸入真空室２の側面部に設けられた、ドラムフィルタ７の点検用のドア１７及び液体ドレイン管１８，１８ａと、ドラムフィルタ７の下側に設けられたジャイロポンプ１２と、ジャイロポンプ１２の吸入側に真空ゲイジ管１４が連結された真空ゲイジ２３と、ジャイロポンプ１２の吐出部に連結された濾過液排出管１５とから構成して使用してもよい。
【００１４】
また、排出用シュート１０の下端に装着されて中空軸モータ減速機１３によって作動される自動排出装置１６の代わりに、沈殿物箱を使用すると、手動排出装置２４を装着して手動で沈殿物を取り除くのも可能である（図２参照）。
【００１５】
また、真空ゲイジ２３から、上記フィルタの閉じた信号が表示される場合には、ドラムフィルタ７の出口側バルブと液体貯蔵タンク２５に送る管のバルブとが閉塞され、水タンクは開放される。そして、ジャイロポンプ１２が逆回転して、ターボフィルタ３側のスクラップコンベア９が開放され、清掃機本体１の機能が停止する。
【００１６】
このように、この実施の形態に係る液体貯蔵タンクの移動式多機能清掃機は、下端に緩衝式キャスタ２０が装着された清掃機本体１と、清掃機本体１の上部に設けられた、吸入真空管２及びマイクロターボフィルタ３と、吸入真空管２の上部に設けられ、電気パネル４に連結された電気装置部５と、電気装置部５の下部に設けられ、液体吸入管６に連結されたドラムフィルタ７と、ドラムフィルタ７の下部に、ドラムフィルタ７と平行に設けられたスクラップコンベア９と、スクラップコンベア９の排出部に設けられ、自動排出装置１６を下端部に設けられた沈殿物排出用シュート１０と、吸入真空室２の側面部に設けられた、ドラムフィルタ７の点検用のドア１７及び液体ドレイン管１８，１８ａと、ドラムフィルタ７とパイプフランジ１１とに連結されたマイクロターボフィルタ３の下側に設けられたジャイロポンプ１２と、ジャイロポンプ１２の吸入側に真空ゲイジ管１４が連結された真空ゲイジ２３と、ジャイロポンプ１２の吐出部に連結された濾過液排出管１５とを備えている。ドラムフィルタ７とスクラップコンベア９とが平行形に設置されているので、狭い空間においても清掃作業が可能である。また、ドラムフィルタ７の上側にはフィルタブラシ８を装着してドラムフィルタ７の閉塞を防止するようにし、マイクロターボフィルタ３の濾過方式を吸入方式にすることにより、フィルタの性能を向上させるのは勿論、寿命を最大限延長することができる。
【図面の簡単な説明】
【００１７】
【図１】この発明を右側面で見た斜視図である。
【図１ａ】この発明のブラシが装着されたドラムフィルタの拡大断面図である。
【図２】この発明を左側面で見た斜視図である。
【図３】図１の“Ａ”部分拡大断面図である。
【図４】図２の“Ｂ”部分拡大断面図である。
【図５】図１のドラムフィルタのみ構成された系統図である。
【図６】図１のドラムフィルタ及びターボフィルタの構成系統図である。
【図７】この発明の系統図である。
【符号の説明】
【００１８】
１  清掃機本体、２  吸入真空室、３  マイクロターボフィルタ、４  電気パネル、５  電気装置部、６  液体吸入管、７  ドラムフィルタ、８  フィルタブラシ、９  スクラップコンベア、１０  シュート、１１  パイプフランジ、１２  ジャイロポンプ、１３  中空軸モータ減速機、１４  真空ゲイジ管、１５  濾過液排出管、１６  自動排出装置、１７  ドラムフィルタ点検用ドア、１８，１８ａ  液体ドレイン管、１９  マグネット、２０  緩衝式キャスタ、２１  中空軸モータ減速機、２２  液体吸入装置、２２ａ  液体吸入管、２３  真空ゲイジ、２４  手動排出装置、２５  液体貯蔵タンク、２６  簡易接続ユニット、２７  フレキシブルＰＶＣホース、２７ａ  （フレキシブルＰＶＣホースの）吸入口、２９  排出口、３０  ステルフレキシブルホース、３１  ホース、３２  悪臭除去用液体槽。
【図１】
2006297381.tif 000003
【図１ａ】
2006297381.tif 000004
【図２】
2006297381.tif 000005
【図３】
2006297381.tif 000006
【図４】
2006297381.tif 000007
【図５】
2006297381.tif 000008
【図６】
2006297381.tif 000009
【図７】
2006297381.tif 000010